【手続補正書】
【提出日】平成17年4月4日(2005.4.4)
【手続補正１】
【補正対象書類名】明細書
【補正対象項目名】特許請求の範囲
【補正方法】変更
【補正の内容】
【特許請求の範囲】
【請求項１】
少なくとも２種類の入出力ポートと、データの読み書きが行われる記録媒体を備えるストレージシステムであって、
前記２種類の入出力ポートのうち一つの入出力ポートに接続され、少なくとも前記記録媒体の第一の部分と接続される第一のホストインターフェースアダプタであって、前記一つの入出力ポートからブロック入出力読み出し要求を受信すると、前記記録媒体の前記第一の部分にアクセスして前記一つの入出力ポートからデータを送信する動作をし、更に、前記一つの入出力ポートからブロック入出力書き込み要求を受信すると、前記記録媒体の前記第一の部分にデータの書き込みを行う動作をする第一のホストインターフェースアダプタと、
前記２種類の入出力ポートのうち他の入出力ポートに接続され、少なくとも前記記録媒体の第二の部分と接続される第二のホストインターフェースアダプタであって、前記他の入出力ポートからファイルシステム入出力読み出し要求を受信すると、前記記録媒体の前記第二の部分のデータにアクセスして前記他の入出力ポートからデータを送信する動作をし、更に、前記他の入出力ポートからファイルシステム書き込み要求を受信すると、前記記録媒体の前記第二の部分にデータの書き込みを行う動作をする第二のホストインターフェースアダプタと、
を備える、ストレージシステム。
【請求項２】
請求項１に記載のストレージシステムであって、
前記一つの入出力ポートは、プロセッサユニットのＳＣＳＩポートに接続している、ストレージシステム。
【請求項３】
請求項１に記載のストレージシステムであって、
前記他の入出力ポートは、プロセッサユニットのネットワークファイルシステムポートに接続している、ストレージシステム。
【請求項４】
請求項３に記載のストレージシステムであって、
前記記録媒体は、ディスクである、ストレージシステム。
【請求項５】
プロセッサ部のＳＣＳＩポートに接続する第一のポートと、
他のプロセッサ部のネットワークファイルシステムポートに接続する第二のポートと、
記録媒体と、
前記第一のポートに接続されるとともに前記記録媒体に接続され、前記プロセッサ部からブロック入出力要求を受信して、少なくとも前記記録媒体の一部にデータの読み書きを行う動作をするＳＣＳＩインターフェースアダプタと、
前記第二のポートに接続されるとともに前記記録媒体に接続され、ファイルシステム入出力要求を受信して、前記記録媒体の他の部分にデータの読み書きを行う動作をするファイルインターフェースアダプタと、
を備える、ストレージシステム。
【請求項６】
請求項５に記載のストレージシステムであって、
前記ファイルインターフェースアダプタは論理ボリュームのデータ構成を有している、ストレージシステム。
【請求項７】
少なくとも一つのプロセッサ部を記録媒体にアクセス可能とするストレージシステムを構築する方法であって、
前記記録媒体に接続されるＳＣＳＩインターフェースアダプタを設け、前記一つのプロセッサ部からブロック入出力要求を受信して前記記録媒体の一部にデータの読み書きを行うステップと、
前記記録媒体に接続されるファイルインターフェースアダプタを設け、ファイルシステム入出力要求を受信して前記記録媒体の他の部分にデータの読み書きを行うステップと、
を備える、ストレージシステムを構築する方法。
【請求項８】
請求項７に記載のストレージシステムを構築する方法であって、
前記ＳＣＳＩインターフェースアダプタを設けるステップは、一つ又は複数の論理ブロックボリュームを通じて、前記記録媒体の一部にアクセスできるように前記ＳＣＳＩインターフェースアダプタを構成するステップを含み、
前記ファイルインターフェースアダプタを設けるステップは、一つ又は複数のファイルシステム論理ボリュームを通じて、前記記録媒体の他の部分にアクセスするステップを含む、ストレージシステムを構築する方法。
【請求項９】
請求項７に記載のストレージシステムを構築する方法であって、
前記ファイルインターフェースアダプタを設けるステップは、共通ファイルシステムプロトコル入出力要求を受信できるように前記ファイルインターフェースアダプタを構成するステップを含む、ストレージシステムを構築する方法。
【請求項１０】
請求項７に記載のストレージシステムを構築する方法であって、
前記ファイルインターフェースアダプタを設けるステップは、ハイパーテキスト転送プロトコル入出力要求を受信できるように前記ファイルインターフェースアダプタを構成するステップを含む、ストレージシステムを構築する方法。
【請求項１１】
ホストシステムと通信可能に接続され、ＳＣＳＩ、ＮＦＳ及びＣＩＦＳタイプの読み出し／書き込み要求を受信するストレージシステムであって、
記録媒体と、
前記記録媒体に接続され、ＳＣＳＩ読み出し／書き込み要求を受信して、少なくとも前記記録媒体の一部にデータの読み出し又は書き込みを行うＳＣＳＩインターフェースアダプタと、
前記記録媒体に接続され、ＮＦＳ及びＣＩＦＳタイプの読み出し／書き込み要求を受信して、前記記録媒体の他の部分にデータの読み出し又は書き込みを行うフィルインターフェースアダプタと、
を備える、ストレージシステム。
【請求項１２】
請求項１１に記載のストレージシステムであって、
前記ストレージシステムは、ＨＴＴＰ読み出し／書き込み要求を受信できるように前記ホストシステムと通信可能に接続されており、
前記ファイルインターフェースアダプタは、ＨＴＴＰ読み出し／書き込み要求を受信して、前記記録媒体の他の部分にデータの読み出し又は書き込みを行う、ストレージシステム。
【請求項１３】
請求項１１に記載のストレージシステムであって、
前記記録媒体に接続され、ＮＦＳ及びＣＩＦＳタイプの読み出し／書き込み要求を受信して、前記記録媒体の他の部分にデータの読み出し又は書き込みを行う、もう一つのファイルインターフェースアダプタを備える、ストレージシステム。
【請求項１４】
請求項１２に記載のストレージシステムであって、
前記記録媒体に接続され、ＮＦＳ、ＣＩＦＳ及びＨＴＴＰタイプの読み出し／書き込み要求を受信して、前記記録媒体の他の部分にデータの読み出し又は書き込みを行う、もう一つのファイルインターフェースアダプタを備える、ストレージシステム。
【請求項１５】
請求項１１に記載のストレージシステムであって、
前記ＳＣＳＩインターフェースアダプタを前記記録媒体に接続し、前記記録媒体へのデータの読み書きを行うための少なくとも第一のドライブインターフェースアダプタを備える、ストレージシステム。
【請求項１６】
複数のプロセッサからの入出力要求を処理するストレージシステムであって、前記複数のプロセッサのうちの第一のプロセッサはブロック入出力要求を送信し、前記複数のプロセッサのうちの第二のプロセッサはファイル入出力要求を送信し、
前記ストレージシステムは、
複数のディスクユニットを含む記録媒体と、
前記記録媒体に接続されるバスと、
前記バスに接続され、前記ブロック入出力要求及び前記ファイル入出力要求に応答してデータを格納するキャッシュメモリと、
前記キャッシュメモリに接続されることによって、前記第一及び第二のプロセッサに接続される複数のインターフェースと、
を備え、
前記複数のインターフェースのうち前記第一のプロセッサに接続される第一のインターフェースは、前記第一のプロセッサからブロック入出力要求を受信して前記記録媒体の第一の部分にアクセスし、
前記複数のインターフェースのうち前記第二のプロセッサに接続される第二のインターフェースは、ファイル入出力要求を受信して前記記録媒体の第二の部分にアクセスする、ストレージシステム。
【請求項１７】
複数のプロセッサからの入出力要求を処理するストレージシステムであって、前記複数のプロセッサのうちの第一のプロセッサはブロック入出力要求を送信し、前記複数のプロセッサのうちの第二のプロセッサはファイル入出力要求を送信し、
前記ストレージシステムは、
複数のディスクユニットを含む記録媒体と、
前記記録媒体に接続されるバスと、
前記バスに接続されることによって、前記第一及び第二のプロセッサに接続される複数のインターフェースと、
を備え、
前記複数のインターフェースのうち前記第一のプロセッサに接続される第一のインターフェースは、前記第一のプロセッサからブロック入出力要求を受信して前記記録媒体の第一の部分にアクセスし、
前記複数のインターフェースのうち前記第二のプロセッサに接続される第二のインターフェースは、ファイル入出力要求を受信して前記記録媒体の第二の部分にアクセスし、
前記ストレージシステムは、前記第二のプロセッサによる前記第一の部分へのアクセスを禁止する、ストレージシステム。
【請求項１８】
複数のプロセッサからの入出力要求を処理するストレージシステムであって、前記複数のプロセッサのうちの第一のプロセッサはブロック入出力要求を送信し、前記複数のプロセッサのうちの第二のプロセッサはファイル入出力要求を送信し、
前記ストレージシステムは、
複数のディスクユニットを含む記録媒体と、
前記記録媒体に接続されるバスと、
前記バスに接続されることによって、前記第一及び第二のプロセッサに接続される複数のインターフェースと、
を備え、
前記複数のインターフェースのうち前記第一のプロセッサに接続される第一のインターフェースは、前記第一のプロセッサからブロック入出力要求を受信して前記記録媒体の第一の部分にアクセスし、
前記複数のインターフェースのうち前記第二のプロセッサに接続される第二のインターフェースは、ファイル入出力要求を受信して前記記録媒体の第二の部分にアクセスし、
前記ストレージシステムは、前記第一のプロセッサによる前記第二の部分へのアクセスを禁止する、ストレージシステム。
【請求項１９】
請求項１６乃至請求項１８のうち何れか１項に記載のストレージシステムであって、
前記第二のインターフェースが受信するファイル入出力要求は、ＣＩＦＳ又はＮＦＳタイプのファイル入出力要求である、ストレージシステム。
【請求項２０】
請求項１６乃至請求項１８のうち何れか１項に記載のストレージシステムであって、
前記複数のインターフェースのうちの一つとして、ファイル入出力要求を受信する第三のインターフェースを更に備え、
前記第三のインターフェースは、ＣＩＦＳ又はＮＦＳタイプのファイル入出力要求を受信する、ストレージシステム。
【請求項２１】
請求項１６乃至請求項１８のうち何れか１項に記載のストレージシステムであって、
前記第二のインターフェースが受信するファイル入出力要求は、ＨＴＴＰタイプの入出力要求である、ストレージシステム。
【請求項２２】
請求項１６乃至請求項１８のうち何れか１項に記載のストレージシステムであって、
前記第一のインターフェースが受信するブロック入出力要求は、ＳＣＳＩタイプの入出力要求である、ストレージシステム。
【請求項２３】
請求項１６乃至請求項１８のうち何れか１項に記載のストレージシステムであって、
前記記録媒体のデータ格納部分を管理する端末を更に備え、
前記端末は、前記ブロック入出力要求又はファイル入出力要求に応じるための前記データ格納部分の割り当てを制御する、ストレージシステム。
【請求項２４】
請求項１７又は請求項１８のうち何れか１項に記載のストレージシステムであって、
前記バスに接続され、前記ブロック入出力要求又は前記ファイル入出力要求に応答してデータを格納するキャッシュメモリを更に備える、ストレージシステム。